(57)【要約】      （修正有）【課題】ノック機構を使用することなく、簡易な構成で容易かつ迅速にリフィルをボディから突出させることができると共に、安定して筆記することができる筆記具を提供する。【解決手段】筒状のボディ１１内に長さ方向に移動可能に配設されたリフィル１２の先端側に設けられた錘当接部１３と、上記ボディ内の後端部２５に設けられたリフィル進退固定部１４と、上記錘当接部と上記リフィル進退固定部との間においてリフィルに設けられ、上記ボディ内において軸方向に沿ってスライド可能に装着された錘１５とを備え、該錘をリフィル上をスライドさせてリフィル進退固定部に当接させることにより上記リフィルをボディ内に収納させると共に、上記錘をリフィル上をスライドさせて上記錘当接部に当接させることによりリフィルをボディから突出させる。【選択図】図１
0003165712.tif 000002
【実用新案登録請求の範囲】
【請求項１】
筒状のボディ内に長さ方向に移動可能に配設されたリフィルの先端側に設けられた錘当接部と、上記筒部内の後端部に設けられたリフィル進退固定部と、上記錘当接部と上記リフィル進退固定部との間においてリフィルに設けられ、上記ボディ内において軸方向に沿ってスライド可能に装着された錘とを備え、
上記錘をリフィル上をスライドさせてリフィル進退固定部に当接させることにより上記リフィルをボディ内に収納させると共に、上記錘をリフィル上をスライドさせて上記錘当接部に当接させることによりリフィルをボディから突出させることを特徴とする筆記具。
【請求項２】
上記リフィル進退固定部は、ボディ後端部内方に固定されたボディ側部と、リフィル後端部に固定されたリフィル側部とにより構成され、
上記ボディ側部は、ボディの幅方向に沿って拡開可能に形成されると共に、常時、ボディの幅方向中心に向かって付勢された一対の係止片を備え、
上記リフィル側部は、上記一対の係止片に挟持された状態でボディ側部内に進退動するスライド係止部と、上記スライド係止部のリフィル先端側に設けられ、上記錘がスライドして当接するフランジ部を有することを特徴とする請求項１記載の筆記具。
【請求項３】
上記一対の係止片のリフィル先端側には、互いにボディ内方へ膨出形成され対向して配置されると共に、上記スライド係止部に当接する係止突部が設けられると共に、上記スライド係止部には、リフィル突出時に上記係止突部のボディ後端部側に係合する係合部及び、リフィル突出時に上記係止突部のボディ前端部側に当接する段部が設けられ、
リフィル収納時には、上記錘が上記錘当接部に当接し、リフィル側部をボディ後方へ押すことにより上記一対の係止片が拡開し、上記スライド係止部がボディ側部内に進入することを特徴とする請求項２記載の筆記具。
【請求項４】
上記係止突部は、互いに対向する内方部が側面楕円状に形成されていることを特徴とする請求項４記載の振り出し式筆記具。
【請求項５】
上記リフィルの錘当接部と、ボディ先端部との間にはコイルスプリングが配設されていることを特徴とする請求項４記載の筆記具。
【考案の詳細な説明】
【技術分野】
【０００１】
本考案は筆記具に係り、特に、手で振ることによりリフィルを突出又は収納させて筆記状態又は収納状態にできる筆記具の改良に関する。
【背景技術】
【０００２】
従来、筆記具の内、例えば、ノック式のボールペンは、ノック機構によりリフィルが筒状のボディ部内に収納されると共に、筆記時にはリフィルがボディ部から突出するように構成されたものが一般的である。
【０００３】
この場合、上記ノック機構は構成部品点数が多くなりコストが嵩むことから、従来、図５に示すような、ノック機構を有さず、リフィル３０の先端部側に錘３３を固定すると共に、所定の径寸法を有する円筒状のボディ３１の内部の後端部に段部３２を設けた振り出し式のボールペン３４があった。
【０００４】
上記ボールペン３４を使用する際には、上記ボディ３１の先端部を下方になるように手で保持し、上記錘３３の重さでリフィル３０をボディ３１内で下降させ、その後、ボディ３１を径方向に振ることにより、上記リフィル３０の後端部を上記段部３２に係合させることにより、ボディ３１の上記段部にリフィル３０を固定させて筆記し、使用時には、再度、ボディ３１を径方向に振ることにより上記リフィル３０の上記段部３２との係合を解除して、その後、ボディ３１を、先端部を上方にすることにより上記錘３３の重さでリフィル３０をボディ３１の先端開口部３５から収納させ、リフィル３０をボディ３１内に収納するように構成されている。
【０００５】
このように構成された従来のボールペン３４にあっては、使用時にリフィル３０の後端部を上記段部３２に係合させることが必要であるが、リフィル３０が上記段部３２に係合するまでボディ３１を径方向に振らねばならず、筆記する際に、容易かつ迅速にリフィル３０の先端部をボディ３１から突出させることができない、という不具合が存していた。
【０００６】
また、リフィル３０がボディ３１の先端部から突出し、筆記している場合であっても、ボディ３１の保持の仕方又は振動によってはリフィル３０の後端部の段部３２との係合が外れやすく、安定して筆記することができない、という不具合も存していた。
【考案の開示】
【考案が解決しようとする課題】
【０００７】
本考案の課題は、ノック機構を使用することなく、容易かつ迅速にリフィルをボディから突出させることができると共に、安定して筆記することができる筆記具を提供することにある。
【課題を解決するための手段】
【０００８】
請求項１記載の考案にあっては、筒状のボディ内に長さ方向に移動可能に配設されたリフィルの先端側に設けられた錘当接部と、上記ボディ内の後端部に設けられたリフィル進退固定部と、上記錘当接部と上記リフィル進退固定部との間においてリフィルに設けられ、上記ボディ内において軸方向に沿ってスライド可能に装着された錘とを備え、上記錘をリフィル上をスライドさせてリフィル進退固定部に当接させることにより上記リフィルをボディ内に収納させると共に、上記錘をリフィル上をスライドさせて上記錘当接部に当接させることによりリフィルをボディから突出させることを特徴とする。
【０００９】
従って、請求項１記載の考案にあっては、使用者は使用時にボディを把持して先端部方向へ手で振ることにより、上記錘をリフィル上をスライドさせて上記錘当接部に当接させることによりリフィルをボディから突出させることができる。
また、同様に後端部方向へ振ることにより、上記錘を上記錘をリフィル上をスライドさせてリフィル進退固定部に当接させることにより上記リフィルをボディ内に収納させることができる。
【００１０】
請求項２記載の考案にあっては、上記リフィル進退固定部は、ボディ後端部内方に固定されたボディ側部と、リフィル後端部に固定されたリフィル側部とにより構成され、上記ボディ側部は、ボディの幅方向に沿って拡開可能に形成されると共に、常時、ボディの幅方向中心に向かって付勢された一対の係止片を備え、上記リフィル側部は、上記一対の係止片に挟持された状態でボディ側部内に進退動するスライド係止部と、上記スライド係止部のリフィル先端側に設けられ、上記錘がスライドして当接する錘当接部を有することを特徴とする。
【００１１】
請求項３記載の考案にあっては、上記一対の係止片のリフィル先端側には、互いにボディ内方へ膨出形成され対向して配置されると共に、上記スライド係止部に当接する係止突部が設けられると共に、上記スライド係止部には、リフィル突出時に上記係止突部のボディ後端部側に係合する係合部及び、リフィル突出時に上記係止突部のボディ前端部側に当接する段部が設けられ、リフィル収納時には、上記錘が上記錘当接部に当接し、リフィル側部をボディ後方へ押すことにより上記一対の係止片が拡開し、上記スライド係止部がボディ側部内に進入することを特徴とする。
【００１２】
従って、請求項３記載の考案にあっては、リフィル突出時には、上記上記スライド係止部の係止突部が上記係合部と上記段部との間に配置され、スライド係止部が固定され、その結果、リフィルが突出状態で固定され、筆記することができる。
【００１３】
またリフィル収納時には、上記スライド係止部がボディ側部内へ進入することからリフィルがボディ内を後端部方向へ移動するため、ボディ内に収納される。
【００１４】
請求項４記載の考案にあっては、上記係止突部は、互いに対向する内方部が側面楕円状に形成されていることを特徴とする。
【００１５】
請求項５記載の考案にあっては、上記リフィルの錘当接部と、ボディ先端部との間にはコイルスプリングが配設されていることを特徴とする。
従って、請求項５記載の考案にあっては、上記スプリングがリフィルの軸方向に沿って付勢力を作用させることができる。
【考案の効果】
【００１６】
請求項１及び２記載の考案にあっては、使用者は使用時にボディを把持して先端部方向へ手で振ることにより、上記錘をリフィル上をスライドさせて上記錘当接部に当接させることによりリフィルをボディから突出させ、同様に後端部方向へ振ることにより、上記錘を上記錘をリフィル上をスライドさせてリフィル進退固定部に当接させることにより上記リフィルをボディ内に収納させることができることから、リフィルの先端部側に錘当接部を固定すると共にボディの後端部側にリフィル進退固定部を設け、上記錘当接部と上記リフィル進退固定部との間においてリフィルに錘をスライド可能に設けることにより、ノック機構を使用することなく、簡易な構成で容易かつ迅速にリフィルをボディから突出させることができると共に、安定して筆記することができる筆記具を提供することができる。
【００１７】
請求項３記載の考案にあっては、リフィル突出時には、上記上記スライド係止部の係止突部が上記係合部と上記段部との間に配置され、スライド係止部が固定されることから、リフィルが突出状態で固定され、筆記することができると共に、リフィル収納時には、上記スライド係止部がボディ側部内へ進入することからリフィルがボディ内を後端部方向へ移動するため、ボディ内に収納されるように構成されているため、筆記時には、確実かつ簡易にリフィルを筆記状態に固定することができ、また、収納時には、確実かつ迅速にリフィルをボディ内に収納することができる。
【００１８】
請求項４記載の考案にあっては、上記係止突部は、互いに対向する内方部が側面楕円状に形成されていることから、上記スライド係止部のスライド時にも円滑に挟持することができるため、リフィルの突出時及び収納時に円滑な作動を実現することができる。
【００１９】
請求項５記載の考案にあっては、上記リフィルの錘当接部と、ボディ先端部との間にはコイルスプリングが配設されていることから、リフィルの突出時に、使用者が先端部方向へ向けてボディを振り、錘が錘当接部に衝接した場合でも、錘の衝撃力を緩和させることができることから、把持している手に衝撃を伝えることなくスムーズなリフィルの突出を可能とする。
また、リフィルの収納時にも、同様に、錘がリフィル進退固定部を構成するフランジ部に当接した場合に、上記リフィルの突出時に収縮したコイルスプリングの付勢力によりリフィルを迅速かつ確実にボディ内へ後退させることができる。
【図面の簡単な説明】
【００２０】
【図１】本考案に係る筆記具の一実施の形態を示し、リフィルが突出状態にある場合を示す縦断面図である。
【図２】本考案に係る筆記具の一実施の形態を示し、リフィル進退固定部がリフィルが突出状態にある場合を示す縦断面図である。
【図３】本考案に係る筆記具の一実施の形態を示し、リフィルが収納状態にある場合を示す縦断面図である。
【図４】本考案に係る筆記具の一実施の形態を示し、リフィル進退固定部がリフィルが突出状態にある場合のリフィル進退固定部を示す斜視図である。
【図５】従来の振り出しの式筆記具を示す縦断面図である。
【考案を実施するための最良の形態】
【００２１】
以下、添付図面に基づき、本考案に係る筆記具をボールペンに適用した場合を例に説明する。
図１及び図３に示すように、本実施の形態に係るボールペン１０は、円筒状のボディ１１内に軸方向に移動可能に配設されたリフィル１２の先端２９側に設けられた錘当接部１３と、上記ボディ１１内の後端部に設けられたリフィル進退固定部１４と、上記錘当接部１３と上記リフィル進退固定部１４との間においてリフィル１２に設けられ、上記ボディ１１内において軸方向に沿ってスライド可能に装着された錘１５とを備えている。
【００２２】
そして、本実施の形態に係る筆記具１０は、上記錘１５をリフィル１２上をスライドさせてリフィル進退固定部１４に当接させることにより上記リフィル１２をボディ１１内に収納させると共に、上記錘１５をリフィル１２上をスライドさせて上記錘当接部１３に当接させることによりリフィル１２をボディ１１から突出させるように構成されている。
【００２３】
図２及び図４に示すように、上記リフィル進退固定部１４は、ボディ１１の後端部内方に固定されたボディ側部１６と、リフィル１２の後端部に固定されたリフィル側部１７とにより構成されている。
【００２４】
上記ボディ側部１６は、ボディ１１の径方向に沿って拡開可能に形成されると共に、常時、ボディ１１の径方向中心に向かって付勢力を作用させうる一対の係止片１８、１８を備えている。
【００２５】
図１乃至図４に示すように、上記係止片１８、１８は基部２４にボディ径方向に所定間隔を置いて一対に対向して設けられている。上記基部２４は円盤状に形成されボディ１１の後端部２５に固定され、上記係止片１８、１８はボディ１１の先端部２６方向に向かって突出して配置されている。
【００２６】
図１及び図２に示すように、上記一対の係止片１８、１８のリフィル先端側には、互いにボディ１１の内方へ直角に膨出形成され対向して配置されると共に、後述のスライド係止部１９、１９に当接する係止突部２１、２１が設けられている。上記係止突部２１、２１の互いに対向する内方部２７、２７が側面半円状に形成されている。
【００２７】
上記リフィル側部１７は、上記一対の係止片１８、１８に挟持された状態でボディ側部１６内に進退動する、リフィル１２の径方向に一対に設けられたスライド係止部１９、１９と、上記スライド係止部１９、１９のリフィル先端側に設けられ、上記錘１５がスライドして当接する円盤状のフランジ部２０を有している。
【００２８】
図１〜図４に示すように、及び上記スライド係止部１９、１９には、リフィル１２の突出時に上記係止突部２１、２１のボディ１１の後端部側に係合する係合部２２、２２及び、リフィル１２の突出時に上記係止突部２１、２１のボディ前端部側に当接する段部２３，２３が設けられている。
【００２９】
図２に示すように、上記スライド係止部１９、１９は、上記フランジ部２０の径方向端部において、互いに対向し所定間隔を置き離間して立設され、上記段部２３はスライド係止部１９、１９の間に、スライド係止部１９、１９よりも径方向外方へ突出して配置され、径方向において対向して一対に設けられている。
【００３０】
図２及び図４に示すように、上記係合部２２、２２は側方略矢印状に形成され、フランジ部２０に設けられた軸部２２ａと、軸部２２ａの先端部に、軸部２２ａよりも大きな幅寸法に形成されて連設された略三角形状の先端係止部２２ｂとからなる。
【００３１】
上記段部２３、２３は、その上端が上記先端係止部２２ｂよりも下方に配置されるような高さ寸法に形成され、図２に示すように、リフィル１２の収納時には、上記係合片１８、１８の係止突部２１、２１が上記先端係止部２２ｂと上記段部２３との間に配置されて、スライド係止部１９を両側から挟持して固定しうるように構成されている。
【００３２】
図１及び図３に示すように、上記フランジ部２０はボディ１１の内径よりも僅かに小さい径寸法に形成されており、リフィル側部１７はボディ１１の軸方向に沿って移動しうるように形成されており、上記スライド係止部１９、１９はフランジ部２０を基部として、ボディ１１の後端部側に向かって配置されている。
【００３３】
また、本実施の形態にあっては、上記リフィル１２の錘当接部１３と、ボディ先端部２６との間にはコイルスプリング２８が配設され、コイルスプリング２８は上記錘当接部１３を介してリフィル１２を常時、後端部２５方向へ押圧している。
【００３４】
以下、本実施の形態に係るボールペン１０の使用方法について説明する。
本実施の形態に係るボールペン１０を使用する場合には、図１に示すように、使用者はボディ１１を指で把持して、ボディ１１の先端部２６方向へ向けてボールペン１０を振る。
この動作によりリフィル１２の収納時にはボディ１１の内方の後端部に位置していた錘１５は、リフィル１２上をスライドして先端部２６方向へ移動し、錘当接部１３に当接する。
【００３５】
これにより、リフィル１２はコイルスプリング２８の付勢力に抗して先端部２６方向へ移動し、リフィル１２の先端２９はボディ１１の先端開口部２６ａから外方へ突出する。
【００３６】
この場合、図１に示すように、上記リフィル進退固定部１４を構成するリフィル１２の後端部に固定されたリフィル側部１７も先端部２６方向へ移動し、図１及び図２に示すように、スライド係止部１９はボディ側部１６の係止突部２１、２１に係合し、係止突部２１、２１は係止突部２１、２１と段部２３、２３との間に配置固定される。従って、リフィル１２はボディ１１の軸方向において固定されることから、この状態で使用者は適宜、筆記することができる。
【００３７】
次に、リフィル１２をボディ１１内に収納する場合には、上記同様に、使用者はボディ１１を指で把持して、ボディ１１の後端部２５方向へ振る。この動作により、図３に示すように、錘１５は後端部２５方向へリフィル１２上をスライドして移動し、リフィル進退固定部１４を構成するリフィル側部１７のフランジ部２０に当接する。
【００３８】
図３及び図４に示すように、この当接動作により、コイルスプリング２８の後端部２５方向へ作用する付勢力も相俟って、リフィル側部１７は後端部２５方向へ移動し、スライド係止部１９はボディ側部１６内へ進入することから、係止片１８、１８は径方向に拡開し、スライド係止部１９、１９の係合部２２、２２との係合は解除される。
【００３９】
これにより、係止片１８、１８の係止突部２１、２１は上記段部２３、２３上に乗り上げた状態でリフィル側１７部を挟持固定する。その結果、リフィル１２はボディ１２内へ収納され、収納状態で固定される。
【００４０】
この場合、上記係止突部２１、２１の内方部２７、２７は側面半円状に形成されていることから、スムーズに段部２３、２３に乗り上げることができ、円滑なリフィル１２の収納を可能とする。
【産業上の利用可能性】
【００４１】
本考案は、広く、筆記具に適用することができる。
【符号の説明】
【００４２】
１０  筆記具
１１  ボディ
１２  リフィル
１３  錘当接部
１４  リフィル進退固定部
１５  錘
１６  ボディ側部
１７  リフィル側部
１８  係止片
１９  スライド係止部
２０  フランジ部
２１  係止突部
２２  係合部
２３  段部
２４  基部
２５  後端部  
２６  先端部
２６ａ  先端開口部
２７  内方部
２８  コイルスプリング
２９  先端部
３０  リフィル
３１  ボディ
３２  段部
３３  錘
３４  ボールペン
３５  先端開口部
【図１】
0003165712.tif 000003
【図２】
0003165712.tif 000004
【図３】
0003165712.tif 000005
【図４】
0003165712.tif 000006
【図５】
0003165712.tif 000007
【手続補正書】
【提出日】平成22年11月22日(2010.11.22)
【手続補正１】
【補正対象書類名】実用新案登録請求の範囲
【補正対象項目名】全文
【補正方法】変更
【補正の内容】
【実用新案登録請求の範囲】
【請求項１】
筒状のボディ内に長さ方向に移動可能に配設されたリフィルの先端側に設けられた錘当接部と、上記筒部内の後端部に設けられたリフィル進退固定部と、上記錘当接部と上記リフィル進退固定部との間においてリフィルに設けられ、上記ボディ内において軸方向に沿ってスライド可能に装着された錘とを備え、
上記錘をリフィル上をスライドさせてリフィル進退固定部に当接させることにより上記リフィルをボディ内に収納させると共に、上記錘をリフィル上をスライドさせて上記錘当接部に当接させることによりリフィルをボディから突出させることを特徴とする筆記具。
【請求項２】
上記リフィル進退固定部は、ボディ後端部内方に固定されたボディ側部と、リフィル後端部に固定されたリフィル側部とにより構成され、
上記ボディ側部は、ボディの幅方向に沿って拡開可能に形成されると共に、常時、ボディの幅方向中心に向かって付勢された一対の係止片を備え、
上記リフィル側部は、上記一対の係止片に挟持された状態でボディ側部内に進退動するスライド係止部と、上記スライド係止部のリフィル先端側に設けられ、上記錘がスライドして当接するフランジ部を有することを特徴とする請求項１記載の筆記具。
【請求項３】
上記一対の係止片のリフィル先端側には、互いにボディ内方へ膨出形成され対向して配置されると共に、上記スライド係止部に当接する係止突部が設けられると共に、上記スライド係止部には、リフィル突出時に上記係止突部のボディ後端部側に係合する係合部及び、リフィル突出時に上記係止突部のボディ前端部側に当接する段部が設けられ、
リフィル収納時には、上記錘が上記錘当接部に当接し、リフィル側部をボディ後方へ押すことにより上記一対の係止片が拡開し、上記スライド係止部がボディ側部内に進入することを特徴とする請求項２記載の筆記具。
【請求項４】
上記係止突部は、互いに対向する内方部が側面楕円状に形成されていることを特徴とする請求項３記載の筆記具。
【請求項５】
上記リフィルの錘当接部と、ボディ先端部との間にはコイルスプリングが配設されていることを特徴とする請求項４記載の筆記具。